(57)【特許請求の範囲】
【請求項１】
機器ケーシングの本体部の背面側に保持部が突出して形成され、前記本体部に下方に突出する壁面部などへの取付部が設けられると共に接栓が下方に突出するように設けられており、前記保持部にマスト取付金具が保持され、そのマスト取付金具を介してマストに固定され、
前記マスト取付金具は、ボルト部材、押さえ部材およびナット部材を備える電子機器のマスト取付金具の収納構造であって、
前記ボルト部材は、平行に延びる１対の取付棒部と、それらの基端を相互に連結する連結棒部とを有するコ字形状とされると共に、前記連結棒部を回転軸として前記保持部に回転可能に保持される一方、前記押さえ部材は、各端部に前記取付棒部が挿通される挿通部がそれぞれ形成され、前記取付棒部の少なくとも一方が前記ナット部材を螺合するネジ棒部とされるものであり、
前記保持部の両側に上下方向に貫通する貫通穴が形成され、
前記保持部に、下方に開放し前記貫通穴と連通する凹部が形成され、前記凹部は、前記マストに固定する際に、前記ボルト部材の、前記連結棒部回りの回転を許容するようになっており、
前記貫通穴に前記ボルト部材の取付棒部が下側から挿通され、前記保持部下側の、前記貫通穴に隣接した部分に前記連結棒部を載せ、前記押さえ部材およびナット部材を用いて前記保持部に前記ボルト部材を固定した状態で、前記連結棒部が、前記接栓の下端部または前記取付部下端よりも上方に位置することを特徴とする電子機器のマスト取付金具の収納構造。
【請求項２】
前記保持部下側の、前記貫通穴に隣接した部分に、前記連結棒部が係脱可能に係合する係合凹部が形成されていることを特徴とする請求項１記載の電子機器のマスト取付金具の収納構造。
【請求項３】
前記保持部の上側に、保持面が形成され、
前記押さえ部材およびナット部材を用いて前記保持部に前記ボルト部材を固定した状態で、前記押さえ部材は、前記保持面上に載せられており、前記押さえ部材の上端が前記機器ケーシングの本体部の上端部と同じかあるいはそれよりも下側に位置していることを特徴とする請求項１または２記載の電子機器のマスト取付金具の収納構造。
【請求項４】
前記押さえ部材は、断面コ字形状で、各端部に前記挿通部がそれぞれ形成される矩形板状の本体部と、この本体部の、前記両挿通部を結ぶラインを挟む両側縁に設けられ平行に延びる矩形板状の側板部とを有する構成とされていることを特徴とする請求項１〜３のいずれか１つに記載の電子機器のマスト取付金具の固定構造。
【請求項５】
前記貫通穴の背面側に前記ボルト部材の取付棒部に係合して水平に支持する係合支持部が形成され、
前記係合支持部に前記ボルト部材の取付棒部を水平に支持する際に、前記凹部が、前記ボルト部材の、前記連結棒部回りの回転を許容することを特徴とする請求項１〜４のいずれか１つに記載の電子機器のマスト取付金具の収納構造。
【請求項６】
前記ボルト部材の取付棒部は、前記押さえ部材を係止可能である係止凹部が形成されている係止棒部と、この係止棒部と平行に延び前記ナット部材が螺合されるネジ棒部とで構成され、
前記挿通部の少なくとも一方は、前記係止棒部が係脱可能に係合する切り欠きであることを特徴とする請求項１〜５のいずれか１つに記載の電子機器のマスト取付金具の収納構造。
【発明の詳細な説明】
【技術分野】
【０００１】
本発明は、分配器、ブースター、コンバーター、混合器などの電子機器のマスト取付金具の収納構造に関するものである。
【背景技術】
【０００２】
電子機器のマスト取付金具の収納構造として、ケース本体の背面側に保持部が突出して形成され、その保持部にマスト取付金具が保持され、そのマスト取付金具を介してマストに取り付けられるものにおいて、前記マスト取付金具は、ボルト部材、押さえ金具およびナット部材を備え、前記ボルト部材は、左右のボルト部と、それらの基端を相互に連結する連結部とを有するコ字形状とされると共に、前記連結部が保持部に回動可能に保持され、前記押さえ金具は、両端部に左右のボルト部を挿通する被挿通部が形成され、この被挿通部を貫通するボルト部の雄ネジにナット部材が螺合される構成とされる構造は知られている（例えば特許文献１参照）。
【０００３】
この構造においては、ボルト部材は、ケース本体の保持部に形成され左右方向に貫通する貫通部に、ボルト部材の連結部を回転可能に挿通させることで、前記保持部に保持される。そして、梱包時や金具不使用時におけるマスト取付金具の収納状態では、保持部の、貫通部とは反対側の部分に押さえ金具を載せ、ナット部材を締め込むことで、マスト取付金具を保持部に固定するようになっている。
【先行技術文献】
【特許文献】
【０００４】
【特許文献１】特開２００４−１１９４０４号公報
【発明の概要】
【発明が解決しようとする課題】
【０００５】
ところで、そのような電子機器においては、保持部の貫通部にボルト部材を取り付けるのが面倒であり、ボルト部材を簡単に保持部に保持できることが望まれている。それに加えて、梱包時や金具不使用時において、マスト取付金具をコンパクトに収納できることも望まれている。
【０００６】
その一方、電子機器のコンパクト化に比べて、マスト取付金具は、電子機器を取り付けるマストとの関係から、あまり小さくすることができないので、従来と同様に梱包時や不使用時にはケース本体の保持部に収納させるにしても、できるだけコンパクトに収納させたいという要求がある。そのため、収納状態で、ボルト部材の、機器ケーシングの本体部外周囲からの突出量をできるだけ小さくしたい。
【０００７】
この発明は、前述したような構造において、梱包時や金具不使用時に、マスト取付金具を本体部の外周囲からはみ出さないように収納でき、かつ保持部へのマスト取付金具の取付けが容易である電子機器のマスト取付金具の収納構造を提供することを目的とする。
【課題を解決するための手段】
【０００８】
請求項１の発明は、機器ケーシングの本体部の背面側に保持部が突出して形成され、前記本体部に下方に突出する壁面部などへの取付部が設けられると共に接栓が下方に突出するように設けられており、前記保持部にマスト取付金具が保持され、そのマスト取付金具を介してマストに固定され、前記マスト取付金具は、ボルト部材、押さえ部材およびナット部材を備える電子機器のマスト取付金具の収納構造であって、前記ボルト部材は、平行に延びる１対の取付棒部と、それらの基端を相互に連結する連結棒部とを有するコ字形状とされると共に、前記連結棒部を回転軸として前記保持部に回転可能に保持される一方、前記押さえ部材は、各端部に前記取付棒部が挿通される挿通部がそれぞれ形成され、前記取付棒部の少なくとも一方が前記ナット部材を螺合するネジ棒部とされるものであり、前記保持部の両側に上下方向に貫通する貫通穴が形成され、前記保持部に、下方に開放し前記貫通穴と連通する凹部が形成され、前記凹部は、前記マストに固定する際に、前記ボルト部材の、前記連結棒部回りの回転を許容するようになっており、前記貫通穴に前記ボルト部材の取付棒部が下側から挿通され、前記保持部下側の、前記貫通穴に隣接した部分に前記連結棒部を載せ、前記押さえ部材およびナット部材を用いて前記保持部に前記ボルト部材を固定した状態で、前記連結棒部が、前記接栓の下端部または前記取付部下端よりも上方に位置することを特徴とする。ここで、取付棒部は、両方ともネジ棒部であってもよく、請求項６に記載のように一方だけがネジ棒部であってもよい。
【０００９】
このようにすれば、マスト取付金具の収納状態で、保持部下側の、貫通穴に隣接した部分に連結棒部を載せ、押さえ部材およびナット部材を用いて前記保持部にボルト部材を固定し、その状態では、前記連結棒部が、前記接栓の下端部または前記取付部下端よりも上方に位置するようにしているので、梱包時や金具不使用時に、ボルト部材の連結棒部が、機器ケーシングの本体部の外周部からはみ出さないようにすることができる。
【００１０】
また、ボルト部材を保持部に取り付けるには、貫通穴に取付棒部を下側から挿通するだけでよいので、前記特許文献１に記載の構造のように、保持部において左右方向に延びる貫通口部にボルト部材の連結棒部を挿通させて取り付ける場合に比べて、取り付けが容易となる。
【００１１】
この場合、請求項２に記載のように、前記保持部下側の、前記貫通穴に隣接した部分に、前記連結棒部が係脱可能に係合する係合凹部が形成されていることが望ましい。
【００１２】
このようにすれば、係合凹部に連結棒部を係合させることで、安定した保持が可能となる。
【００１３】
請求項３に記載のように、前記保持部の上側に、保持面が形成され、前記押さえ部材およびナット部材を用いて前記保持部に前記ボルト部材を固定した状態で、前記押さえ部材は、前記保持面上に載せられており、前記押さえ部材の上端が前記機器ケーシングの本体部の上端部と同じかあるいはそれよりも下側に位置していることが望ましい。
【００１４】
このようにすれば、ボルト部材だけでなく、押さえ金具も、電子機器の外周部からはみ出さないようにすることができ、マスト取付金具をコンパクトに収納する上でより有利になる。
【００１５】
請求項４に記載のように、断面コ字形状で、各端部に前記挿通部がそれぞれ形成される矩形板状の本体部と、この本体部の、前記両挿通部を結ぶラインを挟む両側縁に設けられ平行に延びる矩形板状の側板部とを有する構成とすることが望ましい。
【００１６】
このようにすれば、収納する際に、押さえ部材を収納のために保持部に沿わせるのが容易になり、従来のくの字形状の押さえ金具に比べて、コンパクトに収納する上で有利となる。
【００１７】
請求項５に記載のように、前記貫通穴の背面側に前記ボルト部材の取付棒部に係合して水平に支持する係合支持部が形成され、前記係合支持部に前記ボルト部材の取付棒部を水平に支持する際に、前記凹部が、前記ボルト部材の、前記連結棒部回りの回転を許容する構成とすることができる。
【００１８】
このようにすれば、ボルト部材を無理なく回転して、収納状態から取付状態へ変更することができることを確保した上で、コンパクト化を図ることができる。
【００１９】
請求項６に記載のように、前記ボルト部材の取付棒部は、前記押さえ部材を係止可能である係止凹部が形成されている係止棒部と、この係止棒部と平行に延び前記ナット部材が螺合されるネジ棒部とで構成され、前記挿通部の少なくとも一方は、前記係止棒部が係脱可能に係合する切り欠きであるようにすることができる。
【００２０】
このようにすれば、電子機器の機器ケーシングの保持部と押さえ部材との間にマストを挟んだ状態で、押さえ部材の一端部を、マストの直径に対応する位置の係止棒部の係止凹部に係止し、ナット部材をネジ棒部に対しねじ込むことで簡単に固定することができる。特に、１つのナット部材を締め付けて固定するので、２つのナット部材を締め付ける場合に比べて、作業時間を短縮することができる。
【発明の効果】
【００２１】
本発明は、上記のように、マスト取付金具の収納状態で、保持部下側の、貫通穴に隣接した部分に連結棒部を載せ、押さえ部材およびナット部材を用いて前記保持部にボルト部材を固定し、その状態では、前記連結棒部が、接栓の下端部または前記取付部下端よりも上方に位置するようにしているので、梱包時や金具不使用時に、マスト取付金具を本体部の外周囲からはみ出さないようにコンパクトに収納することができ、かつ保持部へのマスト取付金具の取付けが容易である。
【図面の簡単な説明】
【００２２】
【図１】本発明に係る電子機器の固定構造に用いられる電子機器を正面側から見た状態を示す斜視図である。
【図２】同電子機器を背面側から見た状態を示す斜視図である。
【図３】前記電子機器を、マスト取付金具を取り除いた状態で示す底面図である。
【図４】前記電子機器をマストに固定した状態を、正面側から見た斜視図である。
【図５】（ａ）は前記電子機器をマストに固定した状態を、背面側から見た斜視図、（ｂ）は図５（ａ）においてマストを省略した斜視図である。
【図６】前記電子機器をマストに固定した状態を、右側面上方から見た斜視図である。
【図７】前記電子機器をマストに固定した状態の平面図である。
【図８】同底面図である。
【図９】（ａ）は電子機器からマスト取付金具を取り外した状態を示す分解斜視図、（ｂ）はボルト部材の正面図である。
【図１０】前記電子機器の左側面図である。
【図１１】図１０のＢ−Ｂ方向の断面図である。
【図１２】図１０のＣ−Ｃ方向の断面図である。
【図１３】図８のＡ−Ａ方向の一部断面図である。
【図１４】前記電子機器の底面図である。
【図１５】前記図１４のＤ−Ｄ方向の一部断面図である。
【図１６】（ａ）〜（ｃ）はそれぞれ電子機器の他の実施例を示す図である。
【発明を実施するための形態】
【００２３】
以下、本発明の実施の形態を図面に沿って説明する。なお、説明においては、本体部４が設けられている側を正面側として、取付部６Ａ，６Ｂが設けられている側を底面側として説明する。
【００２４】
図１〜図４に示すように、電子機器１（例えば２分配器）の機器本体２における機器ケーシング３は、直方体形状の本体部４と、その本体部４の背面側に突出して一体的に設けられ外周部が本体部４の外周部より内方に位置する保持部５とを備えている。この保持部５にマストＭに電子機器１を取り付けるためのマスト固定金具１１が取り外し可能に保持されている。本体部４の下部には、屋外のマストだけでなく、壁面等の取付面にも電子機器１を取り付けることができるように、取付部６Ａ，６Ｂが設けられ、その取付部６Ａ，６Ｂには電子機器を取り付けるための取付ネジ１５が設けられている。
【００２５】
図１および図２に示す状態では、マスト取付金具１１は収納状態にあり、マストＭに前記電子機器を取り付ける際には、図４〜図８に示すように、マスト取付金具１１を介してマストＭに機器ケーシング３（電子機器）が固定される。なお、この機器ケーシング３の本体部４内には、高周波信号を処理する回路ユニット（図示せず）が収容され、本体部４の下面には信号を入出力するＦ型コネクタ８（コネクタ８）が下方に突出するように複数設けられている。
【００２６】
マスト取付金具１１は、図９（ａ）に示すように、ボルト部材１２、押さえ金具１３（押さえ部材）および１つの蝶ナット１４（ナット部材）によって構成される。
【００２７】
ボルト部材１２は、図９（ｂ）に示すように、線材がコ字形状に折り曲げて形成されたもので、係止棒部１２Ａ（取付棒部）と、この係止棒部１２Ａと平行に延びるネジ棒部１２Ｂ（取付棒部）と、係止棒部１２Ａとネジ棒部１２Ｂとの基端を相互に連結する連結棒部１２Ｃとを備え、連結棒部１２Ｃを回転軸として保持部５に対して回転可能に保持されている。係止棒部１２Ａには、押さえ金具１３の一端部を係止可能である複数の係止凹部１２Ａａ，１２Ａａ、・・・が一定間隔でもって規則的に設けられている。この各係止凹部１２Ａａは、押さえ金具１３の切り欠き１３ａが係合した状態で、押さえ金具１３が係止棒部１２Ａの先端側あるいは基端側に移動するのを規制する機能を有する。なお、１つの係止凹部１２Ａａは、断面円形状の棒状部分の外周面より外方に突出する２つの突出部１２Ａｂが設けられることで、それらの間に設けられていることになる。この突出部１２Ａｂは、係止棒部１２Ａの一部をつぶして外方に突出させて形成したものであり、機器ケーシング３（電子機器）が固定される複数種類のマストの直径に対応する位置を含むように一定間隔で設けられている。つまり、保持部５はマストＭが嵌り込む凹部５ａが形成されいるので、図７に示すように、マストＭの直径が例えばＬの場合にはその直径Ｌに対応する係止凹部１２Ａａを選択して切り欠き１３ａを係合させれば、凹部５ａと押さえ金具１３との間にマストＭを挟持して固定することができる。この係止凹部１２Ａａが、機器ケーシング３（電子機器）が固定されるマストＭの直径に対応する位置に少なくとも設けられているからである。
【００２８】
押さえ金具１３は、矩形板状の金具本体１３Ａ（本体部）と、その金具本体１３Ａの上下両側において同一方向に平行に延びる２つの矩形板状の側板部１３Ｂ，１３Ｃとにより断面コ字形状に形成されている。この側板部１３Ｂ，１３Ｃの幅は、金具本体１３Ａの高さ（幅）よりも小さくなっている。そして、押さえ金具１３（金具本体１３Ａ）の一方の端部側には、一方の側板部１３Ｃまで延び係止棒部１２Ａに係脱可能に係合する切り欠き１３ａ（挿通部）が、他方の端部側にはネジ棒部１２Ｂが挿通される被挿通穴１３ｂ（挿通部）がそれぞれ形成されている。そして、挿通穴１３ｂを貫通して突出するネジ棒部１２Ｂの雄ネジ１２Ｂａに蝶ナット１４が螺合されている。また、側板部１３Ｂ，１３ＣにはマストＭの外周面に接触する凹部１３Ｂａ，１３Ｃａが形成されている。なお、金具本体１３Ａは中央部に凹み部１３ｃが形成され、必要な剛性が確保されている。
【００２９】
よって、押さえ金具１３（側板部１３Ｂ）をマストＭに当てる際、矩形板状の金具本体１３Ａを機器ケーシング３とほぼ平行に配置しやすくなり、蝶ナット１４の締め付けが容易となり、また、押さえ金具１３を、機器ケーシング３に対して傾けることなく取り付けることができる。
【００３０】
ネジ棒部１２Ｂは、マストに取り付ける際に係止棒部１２Ａが位置する側に蝶ナット１４を回転することで締め付けられるように雄ネジ１２Ｂａが形成されており、締め付けのための蝶ナット１４を回転する回転方向Ｒ１と押さえ金具１３の切り欠き１３ａが係止凹部１２Ａａに係合する方向Ｒ２とが一致し、同じ方向となっている（図５（ａ）参照）。具体的には、保持部５に向かって左側にネジ棒部１２Ｂが、右側に係止棒部１２Ａがそれぞれ配置され、ネジ棒部１２Ｂの雄ネジ１２Ｂａは右ネジとなっている。
【００３１】
よって、切り欠き１３ａがいずれかの係止凹部１２Ａａに係合した状態では、蝶ナット１４を回転して締め付ける際に、係止凹部１２Ａａ及びそれの両側の突出部１２Ａｂによって押さえ金具１３が係止棒部１２Ａに対し軸線方向に移動したり外れたりするのが防止されるので、作業者が押さえ金具１３を手で押さえたりすることなく、固定することができる。
【００３２】
また、本体部４の背面側には、図１０〜図１２に示すように、保持部５の両側に、連結部７Ａ，７Ｂを介して、取付部６Ａ，６Ｂが下方に突出して形成されている。保持部５の上端部５ｅは平坦面（保持面）になっており、下端部には、本体部４側の凹部５ｂとそれの外側の受け部５ｃ（貫通穴９Ａ，９Ｂに隣接した部分）が形成されている。この受け部５ｃには、さらに、ボルト部材１２の連結棒部１２Ｃが、収納時に係合する係合凹部５ｄが形成されている。
【００３３】
また、本体部４と取付部６Ａ，６Ｂとが連結部７Ａ，７Ｂを介して連結され、その連結部７Ａ，７Ｂによって取付部６Ａ，６Ｂと保持部５との間には貫通穴９Ａ，９Ｂが形成されている。この貫通穴９Ａ，９Ｂの背面側に位置する連結部７Ａ，７Ｂの上側には、マストへの取付状態で、ボルト部材１２の係止棒部１２Ａとネジ棒部１２Ｂとの基端部付近が係合し、両棒部１２Ａ，１２Ｂを水平に支持する係合凹部（係合支持部）７Ａａ，７Ｂａが形成されている。
【００３４】
これにより、ボルト部材１２の係止棒部１２Ａおよびネジ棒部１２Ｂを下側から貫通穴９Ａ，９Ｂに挿通するだけで、ボルト部材１２を保持部５に対して取り付けることができ、ボルト部材１２の取付けも容易である。そして、ボルト部材１２は、図１および図２、図１０〜図１２に示すように、連結棒部１２Ｃが受け部５ｃの係合凹部５ｄに係合し、かつ押さえ金具１３が保持部５の上端部５ｅ上に載せられ、蝶ナット１４によって固定される収納状態と、図４〜図８および図１３に示すように、連結棒部１２Ｃが凹部５ｂの底部に接触し係止棒部１２Ａとネジ棒部１２Ｂとの基端部が連結部７Ａ，７Ｂの係合凹部７Ａａ，７Ｂａに係合するマスト取付状態との切り替えを簡単に行うことができるようになっている。なお、このように、ボルト部材１２の係止棒部１２Ａとネジ棒部１２Ｂを水平に支持する際に、係合凹部７Ａａ，７Ｂａに、ボルト部材１２の係止棒部１２Ａとネジ棒部１２Ｂとの基端部を係合できるように、凹部５ｂ内の支持部５ｆに連結棒部１２Ｃが接触した状態で、ボルト部材１２を、連結棒部１２Ｃを回転軸としての回転を許容するようになっている。
【００３５】
上記のように構成すれば、ボルト部材１２を保持部５に取り付けるには、貫通穴９Ａ，９Ｂに対し、係止棒部１２Ａおよびネジ棒部１２Ｂを下側から挿通するだけでよいので、前記特許文献１に記載の構造のように、保持部において左右方向に延びる貫通口部にボルト部材の連結棒部を挿通させて取り付ける場合に比べて、取り付けが容易となる。
【００３６】
また、梱包時や金具不使用時などにおける収納状態では、図１４及び図１５に示すように、保持部５下側の、貫通穴９Ａ，９Ｂに隣接した部分である受け部５ｃの係合凹部５ｄに連結棒部１２Ｃを係合させ、押さえ金具１３および蝶ナット１４を用いて保持部５にボルト部材１２を簡単に固定することができる。この状態で、連結棒部１２Ｃが、コネクタ８の下端部または取付部６Ａ，６Ｂの下端よりも上方に位置し、押さえ金具１３上端が機器ケーシング３の本体部４の上端部と同じかあるいはそれよりも下側に位置しているので、マスト取付金具１１が本体部４の外周囲からはみ出さないようにコンパクトに収納される。
【００３７】
また、押さえ金具１３は、矩形板状の金具本体１３Ａと、この本体１３Ａの上下において平行に延びる側板部１３Ｂ，１３Ｃとを有する構成としているので、収納する際に、保持部に沿わせるのが容易になり、従来のくの字形状の押さえ金具に比べてコンパクトに収納する上で有利となる。
【００３８】
このように、ボルト部材１２の係止棒部１２Ａおよびネジ棒部１２Ｂの先端部分や蝶ナット１４を除き、マスト取付金具１１は、機器ケーシング３の本体部４の外周囲よりも内方側に位置するようになり、マスト取付金具１１を構成する部材ができるだけはみ出さないように収納することができ、コンパクト化が図れる。よって、梱包時の体積削減、部品の離散防止を図る上で有利となる。
【００３９】
それに加えて、ボルト部材１２を保持部５に取り付けるには、貫通穴９Ａ，９Ｂに係止棒部１２Ａおよびネジ棒部１２Ｂを下側から挿通するだけでよいので、前記特許文献１に記載の構造のように、保持部において左右方向に延びる貫通口部にボルト部材の連結棒部を挿通させて取り付ける場合に比べて、取り付けが容易となる。
【００４０】
そして、マストＭに電子機器１を固定する場合には、まず、蝶ナット１４を緩め、押さえ金具１３と保持部５の上端部５ｅとの係合を解除し、ボルト部材１２を、連結棒部１２Ｃを回転軸として凹部５ｂ内で回転させ、ボルト部材１２の係止棒部１２Ａとネジ棒部１２Ｂとの基端部付近を係合凹部７Ａａ，７Ｂａに係合させ、両棒部１２Ａ，１２Ｂを水平状態に支持させる。
【００４１】
それから、ボルト部材１２の係止棒部１２Ａとネジ棒部１２Ｂとの間にマストＭが位置するようにマストＭにボルト部材１２を係合させる。保持部５の凹部５ａに、マストＭの外周面を接触させる。
【００４２】
その後、押さえ金具１３を、ネジ棒部１２Ｂを回転軸として回転させ、切り欠き１３ａを係止棒部１２Ａの、固定しようとするマストＭの直径に対応する係止凹部１２Ａａに係止させる。それから、ネジ棒部１２Ｂの雄ネジ１２Ｂａに蝶ナット１４を締め込むことで、押さえ金具１３と保持部５との間にマストＭを挟持して固定することができる。
【００４３】
このように、１つの蝶ナット１４を締め付けるだけで固定することができるので、蝶ナット１４の締め付け作業が、２つの蝶ナットを締め付ける従来作業の半分の作業で行うことができる。
【００４４】
前記実施の形態のほか、本発明は次のように変更して実施することができる。
【００４５】
(i)前記実施の形態では、押さえ金具は、金具本体が平板状となっているが、本発明はそれに限定されるものではなく、例えば特開２００７−１２８００号公報に記載されるように、屈曲されていてもよいのはいうまでもない。
【００４６】
(ii)前記実施の形態では、電気機器としての２分配器に適用したものであるが、図１６（ａ）〜（ｃ）に示すように、４分配器にも適用できるのはもちろん、ブースター、コンバーター、混合器にも適用することができる。
【００４７】
(iii)前記実施の形態では、直径が異なる複数種類のマストに固定することができるように係止凹部を係止棒部１２Ａに一定の間隔で複数設けているが、電子部品が固定されるマストが一種類でマストの直径が一定である場合には、係止凹部を複数設ける必要はなく、１つだけ設ければよいのはもちろんである。また、取付が予定されているマストの直径に対応する複数位置にのみ、係止凹部を設けることもできる。
【００４８】
(iv)前記実施の形態では、係止凹部（突出部）を、例えば転造により係止棒部１２Ａの一部をつぶすことで形成しているが、そのような押しつぶして形成する係止部に制限されることなく、他の加工方法で形成することができる係止部としてもよいのはいうまでもない。また、突出部の形状は、円板形状である必要はなく、切り欠きに係合して押さえ金具を係止できる形状であればよい。よって、係止凹部を全周に形成する必要はなく、一部にのみ形成するだけでも、押さえ金具の軸線方向の移動を規制できる形状であればよい。
【００４９】
(v)前記実施の形態では、押さえ金具１３の、ネジ棒部１２Ｂが挿通される挿通部を挿通穴１３ｂとしているが、それに限定されるものではなく、切り欠きとして、ボルト部材の一側からボルト部材に対し差し込めるようにすることも可能である。この場合、この係止棒部１２Ａが挿通される切り欠きは、ネジ棒部１２Ｂが挿通される切り欠きの延びる方向は平行である必要はない。
【００５０】
(vi)前記実施の形態では、係止棒部１２Ａやネジ棒部１２Ｂは直線状であるが，必ずしもその必要はなく、マストの外周面に対応させて屈曲形状や湾曲形状とすることも可能である。
【００５１】
(vii)前記実施の形態では、マストにマスト取付金具１１を用いて取り付ける際に、取付部６Ａ，６Ｂに取付ネジ１５を残しているが、取付ネジ１５を取り外してもよいのはもちろんである。また、取付ネジ１５を用いて電子機器１を壁面などの取付面に取り付ける場合も、マスト取付金具１１を取り外して取り付けてもよいし、マスト取付金具１１が保持部５に収納された状態のまま取り外すことなく、取り付けることができるのはいうまでもない。
【符号の説明】
【００５２】
Ｍ    マスト
１    電子機器
２    機器本体
３    機器ケーシング
４    本体部
５    保持部
５ｃ    受け部
５ｄ    係合凹部
７Ａ，７Ｂ    連結部
７Ａａ，７Ｂａ    係合凹部（係合支持部）
９Ａ，９Ｂ    貫通穴
１１    マスト取付金具
１２    ボルト部材
１２Ａ    係止棒部（取付棒部）
１２Ａａ    係止凹部
１２Ｂ    ネジ棒部（取付棒部）
１２Ｃ    連結棒部
１３    押さえ金具（押さえ部材）
１３Ａ    金具本体
１３Ｂ，１３Ｃ    側板部
１３ａ    切り欠き
１３ｂ    挿通穴（挿通部）
１４    蝶ナット（ナット部材）
【図１】
0005497427.tif 000002
【図２】
0005497427.tif 000003
【図３】
0005497427.tif 000004
【図４】
0005497427.tif 000005
【図５】
0005497427.tif 000006
【図６】
0005497427.tif 000007
【図７】
0005497427.tif 000008
【図８】
0005497427.tif 000009
【図９】
0005497427.tif 000010
【図１０】
0005497427.tif 000011
【図１１】
0005497427.tif 000012
【図１２】
0005497427.tif 000013
【図１３】
0005497427.tif 000014
【図１４】
0005497427.tif 000015
【図１５】
0005497427.tif 000016
【図１６】
0005497427.tif 000017